(57)【特許請求の範囲】
【請求項１】
患者内に挿入可能な細長い一本の柔軟体の途中部分に挿入端となる結び目が設けられ、結び目部分で柔軟体を折り返して形成されたことを特徴とする美容整形用糸。
【請求項２】
患者内に挿入可能な細長い一本の柔軟体の途中部分に挿入端となる結び目が設けられ、結び目部分で柔軟体を折り返して形成された美容整形用糸の結び目側に設けられ、患者内に留置される留置部材であって、
その先端側で開口し、前記結び目を収容する収容部と、
前記収容部と連通され、前記結び目の大きさよりも細径であり、前記美容整形用糸の結び目以外の部分が貫通する貫通部と、
を有することを特徴とする留置部材。
【請求項３】
患者内に挿入可能な細長い一本の柔軟体の途中部分に挿入端となる結び目が設けられ、結び目部分で柔軟体を折り返して形成された細長の美容整形用糸と、
前記美容整形用糸の結び目側に設けられる留置部材と、
を有し、
前記留置部材は、
その先端側で開口し、前記結び目を収容する収容部と、
前記収容部と連通され、前記結び目の大きさよりも細径であり、前記柔軟体の結び目以外の部分が貫通する貫通部と、
を有することを特徴とする美容整形用器具。
【請求項４】
前記留置部材は略円柱形状であり、その後端側の外側面には少なくとも一つの突出部が形成されていることを特徴とする請求項３記載の美容整形用器具。
【請求項５】
前記突出部の一部分は他の部分よりも肉薄に形成されていることを特徴とする請求項４記載の美容整形用器具。
【請求項６】
前記留置部材は、その後端側で開口し、前記貫通部と連通される空洞部を有することを特徴とする請求項４または５記載の美容整形用器具。
【請求項７】
前記留置部材は略円錐形状であり、前記収容部は、狭端側で開口していることを特徴とする請求項３記載の美容整形用器具。
【請求項８】
患者内に挿入可能な細長い一本の柔軟体の途中部分に挿入端となる結び目が設けられ、結び目部分で柔軟体を折り返して形成された美容整形用糸と、
前記美容整形用糸の結び目側に設けられ、前記美容整形用糸の結び目以外の部分が貫通する貫通孔が形成されている留置部材と、
を有することを特徴とする美容整形用器具。
【請求項９】
患者内に挿入可能な細長い一本の柔軟体の途中部分に結び目が設けられた細長の美容整形用糸と、
先端側で開口し、前記結び目を収容する収容部、及び前記収容部と連通され、前記結び目の大きさよりも細径であり、前記柔軟体の結び目以外の部分が貫通する貫通部を有する留置部材と、
を有することを特徴とする美容整形用器具。
【発明の詳細な説明】
【技術分野】
【０００１】
本発明は、美容整形で使用される糸、当該糸に用いる留置部材、及び美容整形用器具に関する。
【背景技術】
【０００２】
美容整形の分野において、しわやたるみのある部分（当該部分の皮下脂肪層）に生体適合性のある糸を通して皮膚を引き上げるフェザーリフト（切らないフェイスリフト）と呼ばれる手技がある。フェザーリフトは、皮膚を切開する従来のフェイスリフトに比べて患者負担が少ない。なお、以下において、皮膚の引き上げを「リフトアップ」という場合がある。
【０００３】
フェザーリフトに用いる従来の器具Ｉとして図１４に示すようなものがある。器具Ｉは一本の細長い糸Ｌの両端をコーン部材Ｃの貫通孔に通し、両端を結んで結び目Ｂを作る。結び目Ｂを設けることにより、糸Ｌがコーン部材Ｃから抜け落ちないようにしている。このような器具Ｉを皮下脂肪層に挿入した後、挿入方向と逆方向に引っ張ることでリフトアップさせ、しわやたるみを解消する。また、図１４に示すように糸Ｌの表面には複数の突起が設けられている。このような糸Ｌを皮下脂肪層に挿入した後、挿入方向と逆方向に引っ張ると、複数の突起が皮下脂肪層に引っ掛かることによりリフトアップの効果を高めることができる。
【発明の概要】
【発明が解決しようとする課題】
【０００４】
ここで、図１４に示した結び目Ｂは糸Ｌの両端を結んで作られているため、糸Ｌを引っ張る際に結び目Ｂが解ける可能性がある。結び目Ｂが解けると糸Ｌがコーン部材Ｃから抜けてしまい、十分なリフトアップの効果が得られない。
【０００５】
本発明の目的は、皮下脂肪層に挿入された状態で力が加わっても結び目が解けることが無い美容整形用糸、当該糸に用いる留置部材、及び美容整形用器具を提供することにある。
【課題を解決するための手段】
【０００６】
上記目的を達成するための主たる発明は、患者内に挿入可能な細長い一本の柔軟体の途中部分に挿入端となる結び目が設けられ、結び目部分で前記柔軟体を折り返して形成されたことを特徴とする美容整形用糸である。
本発明の他の特徴については、後述する明細書及び図面の記載により明らかにする。
【発明の効果】
【０００７】
本発明に係る美容整形用糸によれば、皮下脂肪層に挿入された状態で力が加わっても結び目が解けることが無い。
【図面の簡単な説明】
【０００８】
【図１】カテーテルの構成を示す図である。
【図２】カテーテルの構成を示す図である。
【図３】カテーテルの構成を示す図である。
【図４】第１実施形態に係る美容整形用糸の構成を説明する図である。
【図５】第１実施形態に係る美容整形用器具の構成を説明する図である。
【図６Ａ】第２実施形態に係る留置部材の構成を示す斜視図である。
【図６Ｂ】第２実施形態に係る留置部材の構成を示す正面図である。
【図６Ｃ】第２実施形態に係る留置部材の構成を示す上面図である。
【図６Ｄ】第２実施形態に係る留置部材の構成を示す側面図である。
【図６Ｅ】第２実施形態に係る留置部材の構成を示す背面図である。
【図６Ｆ】第２実施形態に係る留置部材の構成を示す断面図である。
【図６Ｇ】第２実施形態に係る留置部材の構成を示す断面図である。
【図７】第２実施形態に係る美容整形用糸を留置部材に挿入する際の斜視図である。
【図８Ａ】第２実施形態に係る美容整形用器具を示す斜視図である。
【図８Ｂ】第２実施形態に係る美容整形用器具を示す背面斜視図である。
【図８Ｃ】第２実施形態に係る留美容整形用器具を示す正面図である。
【図８Ｄ】第２実施形態に係る美容整形用器具を示す断面図である。
【図９Ａ】カテーテル及び美容整形用器具を用いた手技を説明する図である。
【図９Ｂ】カテーテル及び美容整形用器具を用いた手技を説明する図である。
【図９Ｃ】カテーテル及び美容整形用器具を用いた手技を説明する図である。
【図９Ｄ】カテーテル及び美容整形用器具を用いた手技を説明する図である。
【図９Ｅ】カテーテル及び美容整形用器具を用いた手技を説明する図である。
【図１０】第３実施形態に係る美容整形用糸の構成を説明する図である。
【図１１Ａ】第３実施形態に係る美容整形用器具を示す斜視図である。
【図１１Ｂ】第３実施形態に係る美容整形用器具を示す断面図である。
【図１２Ａ】留置部材の別構成を示す斜視図である。
【図１２Ｂ】留置部材の別構成を示す断面図である。
【図１３Ａ】留置部材の別構成を示す斜視図である。
【図１３Ｂ】留置部材の別構成を示す背面図である。
【図１４】従来の美容整形用糸の構成を説明する図である。
【発明を実施するための形態】
【０００９】
後述する明細書及び図面の記載から、少なくとも以下の事項が明らかとなる。
【００１０】
患者内に挿入可能な細長い一本の柔軟体の途中部分に挿入端となる結び目が設けられ、結び目部分で柔軟体を折り返して形成されたことを特徴とする美容整形用糸が明らかとなる。このような美容整形用糸によれば、皮下脂肪層に挿入された状態で力が加わっても結び目が解けることが無い。
【００１１】
また、患者内に挿入可能な細長い一本の柔軟体の途中部分に挿入端となる結び目が設けられ、結び目部分で柔軟体を折り返して形成された美容整形用糸の結び目側に設けられ、患者内に留置される留置部材であって、その先端側で開口し、前記結び目を収容する収容部と、前記収容部と連通され、前記結び目の大きさよりも細径であり、前記美容整形用糸の結び目以外の部分が貫通する貫通部と、を有することを特徴とする留置部材が明らかとなる。このような留置部材によれば、結び目を抜け難くすることができる。
【００１２】
また、患者内に挿入可能な細長い一本の柔軟体の途中部分に挿入端となる結び目が設けられ、結び目部分で柔軟体を折り返して形成された細長の美容整形用糸と、前記美容整形用糸の結び目側に設けられる留置部材と、を有し、前記留置部材は、その先端側で開口し、前記結び目を収容する収容部と、前記収容部と連通され、前記結び目の大きさよりも細径であり、前記柔軟体の結び目以外の部分が貫通する貫通部と、を有することを特徴とする美容整形用器具が明らかとなる。このような美容整形用器具によれば、皮下脂肪層に挿入された状態で力が加わっても糸の結び目が解けることが無く、且つ留置部材から結び目が抜け難くなるため、十分なリフトアップの効果を得ることができる。
【００１３】
また、前記留置部材は略円柱形状であり、その後端側の外側面には少なくとも一つの突出部が形成されていることを特徴とする美容整形用器具が明らかとなる。このような突出部を設けることにより、皮下脂肪層への引っ掛かりをより強くできる。
【００１４】
また、前記突出部の一部分は他の部分よりも肉薄に形成されていることを特徴とする美容整形用器具が明らかとなる。このような突出部を設けることにより、美容整形用器具をカテーテル内に挿入し易くなる。
【００１５】
また、前記留置部材は、その後端側で開口し、前記貫通部と連通される空洞部を有することを特徴とする美容整形用器具が明らかとなる。このような空洞部を設けることにより、美容整形用器具をカテーテル内に挿入し易くなる。
【００１６】
また、前記留置部材は略円錐形状であり、前記収容部は、狭端側で開口していることを特徴とする美容整形用器具が明らかとなる。このように留置部材の形状が略円錐形状であっても、結び目を抜け難くすることができる。
【００１７】
また、患者内に挿入可能な細長い一本の柔軟体の途中部分に挿入端となる結び目が設けられ、結び目部分で柔軟体を折り返して形成された美容整形用糸と、前記美容整形用糸の結び目側に設けられ、前記美容整形用糸の結び目以外の部分が貫通する貫通孔が形成されている留置部材とを有することを特徴とする美容整形用器具が明らかとなる。このような美容整形用器具によれば、皮下脂肪層に挿入された状態で糸に力が加わっても結び目が解けることが無いため、十分なリフトアップの効果を得ることができる。
【００１８】
また、患者内に挿入可能な細長い一本の柔軟体の途中部分に結び目が設けられた細長の美容整形用糸と、先端側で開口し、前記結び目を収容する収容部、及び前記収容部と連通され、前記結び目の大きさよりも細径であり、前記柔軟体の結び目以外の部分が貫通する貫通部を有する留置部材とを有することを特徴とする美容整形用器具が明らかとなる。このような美容整形用器具によれば、皮下脂肪層に挿入された状態で力が加わっても糸の結び目が解けることが無く、且つ留置部材から結び目が抜け難くなるため、十分なリフトアップの効果を得ることができる。
【００１９】
＝＝カテーテルの構成＝＝
図１〜図３を参照して、実施形態に共通のカテーテル１の構成例について述べる。図１は、カテーテル１の全体構成を示す図である。図２は、穿刺部２の構成を示す図である。図３は、外筒部３の構成を示す図である。
【００２０】
カテーテル１は、本発明に係る美容整形用器具１００（後述）等を患者の体内に挿入・留置する際に使用される医療器具である。図１に示すように、カテーテル１は、穿刺部２と外筒部３とを有する。穿刺部２は、外筒部３に対して挿入・抜去が可能である。カテーテル１は、適用部位により様々な長さのものを使用することができる。
【００２１】
図２に示すように、穿刺部２は、針部２Ａと把持部２Ｂとを有する。穿刺部２は、たとえば、金属等の硬質の材料で形成されている。
【００２２】
針部２Ａは、把持部２Ｂと一体的に形成されている細長の部材である。針部２Ａは、穿刺部２が外筒部３に挿入された状態において、先端側の一部が外筒部３の先端側から突出する長さを有する（図１参照）。また、針部２Ａの先端は鋭利に形成されている。よって、針部２Ａは、患者の皮膚（及び皮下脂肪層）に美容整形用器具１００（後述）等を挿入するための穴を空けることができる。
【００２３】
把持部２Ｂは、穿刺部２を把持するための部分である。術者は、把持部２Ｂを把持して穿刺部２を操作することにより、外筒部３に対して穿刺部２を挿入・抜去したり、外筒部３内で穿刺部２を回転させることができる。
【００２４】
図３に示すように、外筒部３は、筒部３Ａと把持部３Ｂとを有する。外筒部３は、たとえば、穿刺部２と同様の材料で形成されている。
【００２５】
筒部３Ａは、円筒形状の部材である。筒部３Ａの径（貫通孔）は、少なくとも針部２Ｂ及び美容整形用器具１００等（後述）を挿入・抜去できる大きさとなっている。なお、針部２Ｂ及び美容整形用器具１００（後述）等を挿入・抜去できる大きさの貫通孔を有する構成であれば、筒部３Ａの形状は円筒に限られない。
【００２６】
把持部３Ｂは、外筒部３を把持するための部分である。把持部３Ｂは、筒部３Ａと同様、少なくとも針部２Ｂ及び美容整形用器具１００（後述）等を挿入・抜去できる大きさの貫通孔が設けられている。この貫通孔は、筒部３Ａの貫通孔と繋がっている。たとえば、穿刺部２を外筒部３に挿入・抜去する場合、術者は、把持部３Ｂを抑えたまま、穿刺部２を操作する。なお、手技の際には、穿刺部２及び外筒部３のいずれか一方の操作に加え、穿刺部２を外筒部３に挿入した状態（図１参照）のまま、把持部２Ｂ及び把持部３Ｂを持ってカテーテル１を患者の皮下に挿入する場合もある（後述の図９Ａ参照）。
【００２７】
＝＝第１実施形態＝＝
＜美容整形用糸の構成＞
図４及び図５を参照して、本実施形態に係る美容整形用糸４（以下、「糸４」という場合がある）の構成について述べる。図４は、糸４の外観図である。図５は、糸４及び留置部材ＩＭを含む美容整形用器具１００を示す図である。
【００２８】
糸４は、留置部材ＩＭと共にカテーテル１を介して患者の体内（患者の皮下脂肪層内）に挿入・留置される。糸４は、細長い一本の柔軟体により形成されている。
【００２９】
糸４は、患者の体内に留置されることから、生体適合性のある材料により形成される。また、糸４は伸縮性に優れた材料で形成されていることが望ましい。更に、糸４は、生分解性ポリマーのような生体内で分解・吸収される材料により形成されていることが望ましい。この場合、糸４を体内から取り出す作業が不要となるため、患者負担が少ない。
【００３０】
糸４は、柔軟体の途中部分に形成された結び目４ａを有する。「途中部分」は、柔軟体の端部Ｅ１と端部Ｅ２の間に位置する部分である。結び目４ａは、柔軟体を結ぶことによって形成される結節に相当する。
【００３１】
そして、糸４は、結び目部分で柔軟体を折り返すことにより形成されている（図４参照）。糸４において、結び目４ａは糸４を患者内に挿入する際の挿入端ＩＥ（先端）に相当する。結び目４ａは、糸４が留置部材ＩＭから抜け落ちることを防止する。柔軟体の端部Ｅ１及び端部Ｅ２は、糸４の後端（基端）に相当する。
【００３２】
また、糸４の結び目４ａ以外の部分は、一本の細長い柔軟体を結び目部分で折り返した２本の長尺部分（第１の部分Ｐ１、第２の部分Ｐ２）となっている。第１の部分Ｐ１及び第２の部分Ｐ２は、結び目４ａから後方に延出する。ここでの「後方」は、糸４の挿入端側から後端側に向かう方向である。第１の部分Ｐ１及び第２の部分Ｐ２は、少なくともその一部が患者内に挿入される部分である。すなわち、糸４は、結び目部分で柔軟体を折り返して形成される挿入部（第１の部分Ｐ１及び第２の部分Ｐ２）を有するといえる。
【００３３】
また、図４に示すように、糸４の表面には複数の突起４ｂが形成されている。突起４ｂは、糸４の長手方向において所定の高さだけ突出している。患者内に糸４を留置する場合、突起４ｂは、皮下脂肪層に引っ掛かり、皮膚を引き上げる。また、留置した状態を保つことで、糸４の周囲にコラーゲン組織が生成され、皮膚の引き上げ効果が長期に渡って継続できる。突起４ｂの数、位置、形状、傾き角度、突出の方向等は任意に設計することが可能である。なお、本実施形態に係る糸４において、突起４ｂは必須の構成ではない。
【００３４】
このように、柔軟体の途中部分に設けた結び目４ａを挿入端とすることにより、皮下脂肪層に挿入された状態で糸４に力が加わっても結び目４ａが解けることが無い。従って、十分なリフトアップの効果を得ることができる。また、柔軟体の端部を結んで結び目を形成する場合に比べ、結び目の大きさのバラつきを抑えることができる。
【００３５】
なお、図１４に示したような従来の糸Ｌにおいて、結び目を解け難くするためにサイズを大きくしたり、複数の結び目を作ることも考えられる。しかし、大きい結び目や複数の結び目は、糸を患者に挿入した場合の異物感（結び目に起因する異物感）が大きくなる。一方、上述の通り、本実施形態に係る結び目４ａは糸４を引っ張っても解けることがないため、サイズを小さくでき、且つその数も一つだけでよい。従って、本実施形態に係る糸４によれば、結び目による異物感を与えることが少ない。
【００３６】
更に、本実施形態に係る糸４における結び目４ａは、柔軟体の途中部分で結節を作るだけでよいため、図１４に示したような従来の糸Ｌのようにその端部を結んで結び目を作る場合に比べ、加工作業が容易となる。
【００３７】
＜美容整形用器具の構成＞
図５に示すように、美容整形用器具１００は、糸４、及び留置部材ＩＭを有する。留置部材ＩＭは、糸４の結び目４ａ側に設けられる。留置部材ＩＭは、糸４と共に患者内に留置される。
【００３８】
本実施形態に係る留置部材ＩＭは、略円錐形状の部材である。留置部材ＩＭは、糸４の結び目４ａ以外の部分が貫通する貫通孔ＰＨが形成されている（図５参照。図５では、貫通している糸４を破線で示している）。留置部材ＩＭの狭端側（先端側）と広端側（後端側）で貫通孔ＰＨの径は異なっていてよいが、狭端側の孔径は、少なくとも結び目４ａが抜けない大きさ（結び目よりも細径）に形成されている。なお、留置部材ＩＭの形状は円錐形状に限られない。留置部材ＩＭは、たとえば、円柱形状であってもよい。
【００３９】
留置部材ＩＭは、少なくとも生体適合性のある材料で形成されている。留置部材ＩＭは、生分解性ポリマーのような生体内で分解・吸収される材料により形成されていることが望ましい。この場合、留置部材ＩＭを体内から取り出す作業が不要となるため、患者負担が少ない。
【００４０】
このような美容整形用器具１００によれば、皮下脂肪層に挿入された状態で糸４に力が加わっても結び目４ａが解けることが無い。よって、糸４は留置部材ＩＭから抜け難くなっている。従って、十分なリフトアップの効果を得ることができる。
【００４１】
＝＝第２実施形態＝＝
次に、図６Ａ〜図８Ｄを参照して、第２実施形態に係る美容整形用器具２００の構成について説明を行う。本実施形態では、より好ましい留置部材（シリンダ）の構成について説明を行う。なお、本実施形態において用いる糸４は第１実施形態と同様である。
【００４２】
第１実施形態で述べたように、糸を患者に挿入した場合の異物感を減らすためには、結び目は小さい方が望ましい。しかし、結び目が小さい場合には留置部材から抜け落ち易くなる。また、第１実施形態の美容整形用器具１００は、結び目４ａと留置部材ＩＭが別体となっているため、異物感が大きくなる場合がありうる。
【００４３】
＜シリンダの構成＞
図６Ａ〜図６Ｇは、本実施形態に係るシリンダＣｙ１の構成を示す図である。図６Ａは、シリンダＣｙ１の斜視図である。図６Ｂは、シリンダＣｙ１の正面図である。図６Ｃは、シリンダＣｙ１の上面図である。図６Ｄは、シリンダＣｙ１の右側面図である。図６Ｅは、シリンダＣｙ１の背面図である。図６Ｆは、図６ＣのＡ−Ａ断面を示す図である。図６Ｇは、図６ＤのＢ−Ｂ断面を示す図である。シリンダＣｙ１は「留置部材」の一例である。
【００４４】
シリンダＣｙ１は、糸４の結び目４ａ側（挿入端側）に設けられる。シリンダＣｙ１は、糸４と共に患者内に留置される。
【００４５】
本実施形態に係るシリンダＣｙ１は、略円柱形状の部材である。シリンダＣｙ１は、少なくとも生体適合性のある材料で形成されている。シリンダＣｙ１は、生分解性ポリマーのような生体内で分解・吸収される材料により形成されていることが望ましい。この場合、シリンダＣｙ１を体内から取り出す作業が不要となるため、患者負担が少ない。
【００４６】
また、図６Ｆ及び図６Ｇに示すように、シリンダＣｙ１の内部には、シリンダＣｙ１の先端側で開口（開口部１０ａ）し、結び目４ａを収容する収容部１０が設けられている。収容部１０は、その後端側で貫通部２０（後述）と連通している。収容部１０と貫通部２０（後述）とが連通する箇所は、テーパ―状に形成されている。なお、収容した結び目４ａが収容部１０から抜けるのを防止するため、収容部１０の幅は結び目４ａの大きさよりも少し狭くなっていることが望ましい（結び目４ａを押し込むことができる程度の幅）。この場合、結び目４ａは収容部１０に対して固定される（収容部１０内で結び目４ａが動かない）。
【００４７】
また、シリンダＣｙ１の内部には、収容部１０と連通される貫通部２０が設けられている。貫通部２０は、収容部１０よりも細径に形成されている。また、貫通部３０の径は結び目４ａの大きさよりも細径であり、且つ糸４の結び目４ａ以外の部分（第１の部分Ｐ１、第２の部分Ｐ２）が貫通できる大きさとなっている。
【００４８】
更に、シリンダＣｙ１の内部には、シリンダＣｙ１の後端側で開口（開口部３０ａ）し、貫通部２０と連通される空洞部３０が設けられている。空洞部３０の幅は、本実施形態のように収容部１０と同じであってもよいし、異なっていてもよい。なお、本発明において、空洞部３０は必須の構成ではない。たとえば、貫通部２０がシリンダＣｙ１の後端側まで貫通している構成であってもよい。
【００４９】
また、図６Ａ等に示すように、本実施形態に係るシリンダＣｙ１は、その後端側の外側面に２つの突出部４０が形成されている。突出部４０は、空洞部３０を挟んで対向する位置に設けられている（図６Ｂ及び図６Ｅ参照）。突出部４０の後端は、シリンダＣｙ１の後端よりも後方に延出している。ここでの「後方」は、シリンダＣｙ１の先端側からシリンダＣｙ１の後端側に向かう方向である。シリンダＣｙ１の本体部分と突出部４０とは一体成型で作製してもよいし、別体で作製したものを接着材等で接着することでもよい。
【００５０】
図６Ｃ等に示すように、本実施形態に係る突出部４０は、その一部分が他の部分よりも肉薄に形成されている。具体例として、突出部４０の中央部分の厚みを両端側の厚みよりも肉薄に形成する。
【００５１】
なお、突出部４０の形状は、皮下脂肪層に引っ掛かる形状であれば本実施形態の例に限られない。たとえば、突出部４０に肉薄部分を設けなくともよい。また、突出部４０は少なくとも一つあればよい。
【００５２】
＜美容整形用器具の構成＞
次に、図７〜図８Ｄを参照して本実施形態に係る美容整形用器具２００の例を示す。図７は、糸４をシリンダＣｙ１に挿入する途中の状態を示した図である。図８Ａは、美容整形用器具２００の斜視図である。図８Ｂは、美容整形用器具２００の背面斜視図である。図８Ｃは、美容整形器具の正面図である。図８Ｄは、図８ＣのＣ−Ｃ断面を示す図である。なお、図７、図８Ａ、図８Ｂ及び図８Ｄでは、突起４ｂ及び糸４の後端側の一部の記載を省略している。
【００５３】
本実施形態に係る美容整形用器具２００は、図７に示すように、糸４の後端側をシリンダＣｙ１の先端側（開口部１０ａ）から挿入することにより作製される（図７において挿入方向を矢印で示す）。
【００５４】
上述の通り、貫通部２０の径は結び目４ａの大きさよりも細径であるため、結び目４ａは貫通部２０を通過できない。従って、図８Ａ等に示すように結び目４ａは収容部１０内に収まる。
【００５５】
収容部１０内に結び目４ａを収めることで患者に美容整形用器具２００を挿入する際、糸４とシリンダＣｙ１を一体として挿入することができる。また、結び目４ａは収容部１０内に収められているため、患者内に美容整形用器具２００を留置した場合であっても結び目４ａによる異物感を与えることは無い。
【００５６】
ところで、シリンダのサイズを大きくすることにより、皮下脂肪層に対する引っ掛かりを強めることができる。一方で、シリンダを挿入する際には上述のカテーテルを用いるところ、サイズが大きいシリンダを通すためには、太径のカテーテルを用いなければならない。従って、カテーテルを患者の皮下脂肪層に挿入する際の患者の苦痛が大きくなる。
【００５７】
ここで、本実施形態のようにシリンダＣｙ１が突出部４０を有する場合、通常はカテーテル１の径を突出部４０も含めたサイズで設定しなければならない。一方、本実施形態に係るシリンダＣｙ１には、空洞部３０が形成されている。よって、突出部４０に外側（たとえば、図６Ａの上下方向）から力を加えた場合、突出部４０は空洞部３０側に変形することが可能となる。つまり、シリンダＣｙ１がカテーテル１内に押し込まれる際には、突出部４０は空洞部３０側に変形してシリンダＣｙ１とほぼ同等の径となる。よって、カテーテル１の径はシリンダＣｙ１の本体部分のサイズに合わせて設定すればよい。また、シリンダＣｙ１の突出部４０は、皮下脂肪層に留置された状態では元の形に戻るため、皮下脂肪層に対して引っ掛かりを強めることができる。
【００５８】
なお、突出部４０に肉薄部分を設けることにより、外力によってより変形し易くなる。たとえば、本実施形態に係る突出部４０の場合、その中央部分が肉薄となっているため、左右方向からの力が加わった場合に変形し易くなる。従って、シリンダＣｙ１のカテーテル１への挿入がより容易となる。
【００５９】
このように美容整形用器具２００によれば、皮下脂肪層に挿入された状態で力が加わっても糸４の結び目４ａが解けることが無い。また、シリンダＣｙ１内部に収容部１０及び貫通部２０を設けることにより、結び目４ａが抜け難くなる。すなわち、本実施形態に係る美容整形用器具２００によれば、十分なリフトアップの効果を得ることができる。また、シリンダＣｙ１の収容部１０に結び目４ａを収容することで結び目４ａをシリンダＣｙ１と一体にできる。従って美容整形用器具２００を患者に挿入する際や留置する場合、患者に与える異物感を少なくすることができる。
【００６０】
＝＝手技＝＝
次に、図９Ａ〜図９Ｅを参照して、カテーテル１を用いて美容整形用器具２００を患者内に留置する手技について説明する。なお、美容整形用器具１００も同様の手法により患者内に留置することができる。図９Ａ〜図９Ｅは患者の顔面及びカテーテル１等を模式的に示したものであり、患者の顔面に対するカテーテル１等の実際の大きさは必ずしもこのサイズではない。図９Ａ〜図９Ｅにおいて、カテーテル１等のうち、患者の皮下にある部分は破線で示す。また、図９Ａ〜図９Ｅでは突起４ｂの記載を省略している。
【００６１】
まず、術者は、患者の皮下脂肪層にカテーテル１を挿入する（図９Ａ）。カテーテル１を挿入する位置や方向は予め施されたマーキングに基づいて決定される。
【００６２】
美容整形用器具２００の先端（シリンダＣｙ１）を留置する位置までカテーテル１を押し込んだ後、術者は、穿刺部２のみを引き抜く（図９Ｂ）。この場合、外筒部３のみ（筒部３Ａのみ）が皮下に残ることになる。
【００６３】
次に、術者はプッシュバー５を用い、外筒部３内に美容整形用器具２００を挿入し、美容整形用器具２００の先端（シリンダＣｙ１）を留置する位置まで押し込む（図９Ｃ）。プッシュバー５は、シリンダＣｙ１を押し込むようにして、美容整形用器具２００を挿入する。美容整形用器具２００は、その先端に引っ掛かりが強い部分（シリンダＣｙ１）が設けられているため、目的の位置に留置できる。
【００６４】
次に、術者は、カテーテル１を抜く（図９Ｄ）。このとき、美容整形用器具２００の先端（シリンダＣｙ１）は皮下脂肪層に留置されているため、美容整形用器具２００のみが皮下に残る。一方、糸４の後端は皮膚から外側に出ている。
【００６５】
その後、術者は外側に出ている糸４を引っ張る。これにより、糸４の表面にある突起４ｂが周りの皮下脂肪層に引っ掛かり、リフトアップの効果を更に高める。
【００６６】
最後に、術者は皮膚から出ている糸４をカットする（図９Ｅ）。留置された美容整形用器具２００は、シリンダＣｙ１及び糸４の突起４ｂが皮下脂肪層に引っ掛かった状態となっているため、確実にリフトアップを行うことができる。
【００６７】
このように、本発明に係る美容整形用器具を用いた新たな手技では、患者の所望の部位に美容整形用器具を留置させることができるため、しわやたるみを解消できる。また、この手技では、一つの美容整形用器具２００を皮下に挿入するために一つの穴を設けるだけでよい。
【００６８】
なお、生分解性の材料で形成された美容整形用器具は、約１年程度で体内から消滅するが、それまでにシリンダＣｙ１や糸４の周辺に集積したコラーゲン組織によって、皮膚のリフトアップが継続される。
【００６９】
また、上記では、患者の頬に美容整形用器具２００を一本入れる例を説明したが、美容整形用器具２００を挿入する部分は頬に限られない。また、美容整形用器具２００を数本入れても構わない。
【００７０】
＝＝第３実施形態＝＝
次に、図１０〜１１Ｂを参照して、第３実施形態に係る美容整形用器具３００の構成について説明を行う。本実施形態では、柔軟体を折り返さない糸を用いた美容整形用器具の構成について説明を行う。なお、他の実施形態と同様の構成については詳細な説明を省略する。
【００７１】
＜美容整形用糸の構成＞
図１０を参照して、本実施形態に係る美容整形用糸５（以下、「糸５」という場合がある）の構成について述べる。図１０は、糸５の外観図である。
【００７２】
糸５は、留置部材と共にカテーテル１を介して患者の体内（患者の皮下脂肪層内）に挿入・留置される。糸５は、細長い一本の柔軟体により形成されている。糸５を形成する材料は糸４と同様である。
【００７３】
糸５は、柔軟体の途中部分に形成された結び目５ａを有する。「途中部分」は、柔軟体の端部Ｅ１と端部Ｅ２の間に位置する部分である。結び目５ａは、柔軟体を結ぶことによって形成される結節に相当する。結び目５ａは、糸５が留置部材から抜け落ちることを防止する。また、糸５が体内に挿入される場合には、端部Ｅ１側から挿入される。すなわち、柔軟体の端部Ｅ１は「先端」に相当し、端部Ｅ２は「後端」に相当する。
【００７４】
また、図１０に示すように、糸５の表面には複数の突起５ｂが形成されている。突起５ｂの詳細は、突起４ｂと同様である。なお、本実施形態に係る糸５において、突起５ｂは必須の構成ではない。
【００７５】
このように、柔軟体の途中部分に結び目５ａを設けることにより、皮下脂肪層に挿入された状態で糸５に力が加わっても結び目５ａが解けることが無い。従って、十分なリフトアップの効果を得ることができる。また、柔軟体の端部を結んで結び目を形成する場合に比べ、結び目の大きさのバラつきを抑えることができる。
【００７６】
＜美容整形用器具の構成＞
図１１Ａは、美容整形用器具３００の斜視図である。図１１Ｂは、図１１ＡのＤ−Ｄ断面を示す図である。なお、図１１Ａ及び図１１Ｂでは、突起５ｂ、糸５の先端側及び後端側の記載を省略している。
【００７７】
本実施形態に係る留置部材としては、第２実施形態で説明したシリンダＣｙ１を用いることができる。すなわち、シリンダＣｙ１の内部には、シリンダＣｙ１の先端側で開口（開口部１０ａ）し、結び目５ａを収容する収容部１０が設けられている。収容部１０は、その後端側で貫通部２０（後述）と連通している。収容部１０と貫通部２０（後述）とが連通する箇所は、テーパ―状に形成されている。なお、収容した結び目５ａが収容部１０から抜けるのを防止するため、収容部１０の幅は結び目５ａの大きさよりも少し狭くなっていることが望ましい（結び目５ａを押し込むことができる程度の幅）。この場合、結び目５ａは収容部１０に対して固定される（収容部１０内で結び目５ａが動かない）。
【００７８】
また、シリンダＣｙ１の内部には、収容部１０と連通される貫通部２０が設けられている。貫通部２０は、収容部１０よりも細径に形成されている。また、貫通部３０の径は結び目５ａの大きさよりも細径であり、且つ糸５の結び目５ａ以外の部分が貫通できる大きさとなっている。すなわち、結び目５ａは貫通部２０を通過できない。従って、図１１Ａ等に示すように結び目５ａは収容部１０内に収まる。
【００７９】
収容部１０内に結び目５ａを収めることで患者に美容整形用器具３００を挿入する際、糸５とシリンダＣｙ１を一体として挿入することができる。また、結び目５ａは収容部１０内に収められているため、患者内に美容整形用器具３００を留置した場合であっても結び目５ａによる異物感を与えることは無い。更に、糸４と糸５で同じ長さの柔軟体を用いる場合、糸５の方が長くなるため、より広範囲でリフトップの効果を得ることができる。なお、上記実施形態では、結び目５ａ及び留置部材が１つずつの例について述べたがこれに限られない。たとえば、結び目５ａ及び留置部材を複数設けることでもよい。
【００８０】
＝＝シリンダの変形例＝＝
図１２Ａは本変形例に係るシリンダＣｙ２の斜視図であり、図１２Ｂは本変形例に係るシリンダＣｙ２の背面図である。本変形例に係るシリンダＣｙ２において、突出部４０は、空洞部３０を挟んで対向する位置に４つ設けられている。このように複数の突出部４０を設けることにより皮下脂肪層への引っ掛かりをより強くすることができる。シリンダＣｙ２は「留置部材」の一例である。
【００８１】
また、シリンダの形状は円柱形状に限られない。図１３Ａは本変形例に係るシリンダＣｙ３の斜視図であり、図１３Ｂは本変形例に係るシリンダＣｙ３の断面図（図１３ＡのＥ−Ｅ断面）である。本変形例に係るシリンダＣｙ３は、第１実施形態の留置部材ＩＭと同様、略円錐形状に形成されている。またその内部には収容部１０が形成されている。収容部１０は、シリンダＣｙ３の狭端側で開口している。また、シリンダＣｙ３の内部には、貫通部２０及び空洞部３０が形成されている。シリンダＣｙ３は「留置部材」の一例である。
【００８２】
本発明の実施形態を説明したが、この実施形態は、例として提示したものであり、発明の範囲を限定するものではない。実施形態は、適宜組み合わせて実施することが可能であり、発明の要旨を逸脱しない範囲で、種々の省略、置き換え、変更を行うことができる。それらの実施形態やその変形は、発明の範囲や要旨に含まれると同様に、特許請求の範囲に記載された発明とその均等の範囲に含まれる。
【符号の説明】
【００８３】
４  美容整形用糸
４ａ  結び目
１００、２００  美容整形用器具
Ｃｙ１、Ｃｙ２、Ｃｙ３  シリンダ（留置部材）
【図１】
0006709618.tif 000002
【図２】
0006709618.tif 000003
【図３】
0006709618.tif 000004
【図４】
0006709618.tif 000005
【図５】
0006709618.tif 000006
【図６Ａ】
0006709618.tif 000007
【図６Ｂ】
0006709618.tif 000008
【図６Ｃ】
0006709618.tif 000009
【図６Ｄ】
0006709618.tif 000010
【図６Ｅ】
0006709618.tif 000011
【図６Ｆ】
0006709618.tif 000012
【図６Ｇ】
0006709618.tif 000013
【図７】
0006709618.tif 000014
【図８Ａ】
0006709618.tif 000015
【図８Ｂ】
0006709618.tif 000016
【図８Ｃ】
0006709618.tif 000017
【図８Ｄ】
0006709618.tif 000018
【図９Ａ】
0006709618.tif 000019
【図９Ｂ】
0006709618.tif 000020
【図９Ｃ】
0006709618.tif 000021
【図９Ｄ】
0006709618.tif 000022
【図９Ｅ】
0006709618.tif 000023
【図１０】
0006709618.tif 000024
【図１１Ａ】
0006709618.tif 000025
【図１１Ｂ】
0006709618.tif 000026
【図１２Ａ】
0006709618.tif 000027
【図１２Ｂ】
0006709618.tif 000028
【図１３Ａ】
0006709618.tif 000029
【図１３Ｂ】
0006709618.tif 000030
【図１４】
0006709618.tif 000031